(57)【要約】      （修正有）【課題】エアコンに代わる温度調整および湿度調整が可能な冷暖房システムを提供する。【解決手段】冷温熱供給装置２２から供給される調整空気２８（温度調節及び湿度調整された冷熱又は温熱）、熱放出管２２を介して第一プレナム部２４内に一度収容される。収容された調整空気２８は、第一吹出し口２４ａから第二プレナム部２６内へ送風され、その調整空気２８の熱は、蓄熱材１８に蓄熱される。その蓄熱を夜間に行い、蓄熱材１８に蓄熱された熱によって日中（昼間）の室内の冷房又は暖房を行うことができる。また、床下空間１６ａに珪藻岩３２と透湿防水シート３４を備える換気ユニットを設ける。珪藻岩３２と透湿防水シート３４は、室内２０の湿度調整を行う。湿気３８を吸収し水分を含んだ珪藻岩３２は、第二プレナム部２６の第二吹出し口２６ａから吹出される熱によって夜間に乾燥される。【選択図】図１
2013019550.tif 000002
【特許請求の範囲】
【請求項１】
建築物の室外に設置する温度調節及び湿度調整された冷熱又温熱を送風する冷温熱供給装置と、前記建築物の床下空間に形成される第一プレナム部と、前記第一プレナム部の第一吹出し口を介して連通する建築物の床下空間に形成される第二プレナム部と、前記第二プレナム部内を貫通し第一プレナム部内に前記冷温熱供給装置から送風される冷熱又は温熱を放出する熱放出管と、前記第二プレナム部の空間に収納する蓄熱材と、前記建築物の床下空間に設ける調湿手段と、前記床下空間に前記第二プレナム部内の熱を吹出す第二プレナム部の第二吹出し口とを備えることを特徴とする冷暖房システム。
【請求項２】
前記調湿手段は、建築物の床面に設ける透湿防水シートを備えた換気ユニットと、床下空間に設ける珪藻岩とを備えることを特徴とする請求項１記載の冷暖房システム。
【請求項３】
前記熱放出管は、第二プレナム部内を貫通する部分に蓄熱材に向けて冷熱又は温熱を放出するための熱放出孔を備えることを特徴とする請求項１又は２記載の冷暖房システム。
【発明の詳細な説明】
【技術分野】
【０００１】
本発明は、住宅などの建築物の冷暖房システムに関するものである。
【背景技術】
【０００２】
現在の住宅においては、その建築物内の空気の温度、湿度などを調整する手段としてエアコンが利用されている。エアコンは、室内の温度調整、湿度調整、気流発生の３つの機能を有し、空気環境を変化させ過ごし易い室内環境を提供するものである。
しかし、住宅で消費されるエネルギーの内で冷暖房によるエネルギー消費が最も多いことから、従来は温度設定の調整によってエアコンによる電力消費を抑え、冷暖房コストの軽減を図っていた。
【０００３】
一方、韓国には、床下に煉瓦で仕切った煙道を設け、焚口から煙をおくり室内を暖房するオンドルという住宅の暖房システムが存在する。いわゆる床暖房であり、快適な住まいを提供できる暖房システムとして長く利用されている。
我国でも、上記床暖房のシステムを応用した冷暖房システムが提供されている（例えば、特許文献１、２）
【先行技術文献】
【特許文献】
【０００４】
【特許文献１】特開２００２−１１５３４２号公報
【特許文献２】特開平７−９８１３１号公報
【発明の概要】
【発明が解決しようとする課題】
【０００５】
特許文献１の住宅の床構造は、床下に敷き詰めた砂利石の中に埋め込んだ貯水タンクに太陽熱温水器や浴槽の温水を給水し又は水道水を給水する冷暖房システムである。この住宅の床構造は、エアコン等の冷暖房装置を利用しない、経済的で省エネルギー効果の高い冷暖房を実現できるものである。
【０００６】
特許文献２の蓄熱式空気調和ユニットは、床下の空間部に小石（蓄熱材）を収納した床下蓄熱部を構成し、その床下蓄熱部に電力により温熱または冷熱を蓄える熱量付与手段と、この蓄えられた熱量を室内に取り出す熱量供給手段とを設け、前記電力に安価な夜間電力を利用して室内の冷暖房を実現するものである。
【０００７】
特許文献１の床構造および特許文献２の蓄熱式空気調和ユニットは、いずれも冷熱または温熱を蓄熱する蓄熱材として石を利用し、石に蓄熱される冷熱または温熱による輻射熱によって室内を冷暖房するものである。
しかし、空気環境を変化させ過ごし易い室内環境を提供するエアコンに代わる冷暖房システムを提供する場合、特許文献１および２の冷暖房システムでは、室内の湿度調整が行われないことから、冷暖房時に結露が生じるおそれがあった。また、エアコンによる冷暖房によっても気流が流れない場所では結露が発生する場合があった。
【０００８】
本発明は、上記問題を解決するものであって、エアコンに代わる温度調整および湿度調整が可能な冷暖房システムを提供することを目的とするものである。
【課題を解決するための手段】
【０００９】
本発明の冷暖房システムは、建築物の室外に設置する温度調節及び湿度調整された冷熱又温熱を送風する冷温熱供給装置と、前記建築物の床下空間に形成される第一プレナム部と、前記第一プレナム部の第一吹出し口を介して連通する建築物の床下空間に形成される第二プレナム部と、前記第二プレナム部内を貫通し第一プレナム部内に前記冷温熱供給装置から送風される冷熱又は温熱を放出する熱放出管と、前記第二プレナム部の空間に収納する蓄熱材と、前記建築物の床下空間に設ける調湿手段と、前記床下空間に前記第二プレナム部内の熱を吹出す第二プレナム部の第二吹出し口とを備えるようにしたものである。
【００１０】
また、前記調湿手段は、建築物の床面に設ける透湿防水シートを備えた換気ユニットと、床下空間に設ける珪藻岩とを備えるようにしたものである。
【００１１】
また、前記熱放出管は、第二プレナム部内を貫通する部分に蓄熱材に向けて冷熱又は温熱を放出するための熱放出孔を備えるようにしたものである。
【発明の効果】
【００１２】
本発明の冷暖房システムは、床下に配置する石を蓄熱材として用い、その蓄熱材の熱による輻射熱で室内全体を冷房し又は暖房するものである。これにより、安価な夜間電力を利用して日中の冷暖房を行うことができ、電気料金を軽減できる。
また、本発明の冷暖房システムによると、冷房又は暖房と同時に室内の湿度を調整することができることから、電力消費が大きいエアコンに代わる冷暖房システムを提供することができる。これにより、エアコンと同様、建築物の室内の空気環境を変化させ過ごし易い室内環境を提供できるとともに、夏季の電力需要のピーク時間帯の電力消費を軽減でき、室内における熱中症事故を防止することもできる。
【図面の簡単な説明】
【００１３】
【図１】本発明の冷暖房システムの構成部を表わす図である。
【図２】図１の冷暖房システムの熱放出管の平面図である。
【発明を実施するための形態】
【００１４】
本発明は、蓄熱材を用いて室内の温度および湿度を調整することを実現するものである。
【実施例】
【００１５】
本発明の冷暖房システムを図に基づいて説明する。図１は、本発明の冷暖房システムの構成部を表わす図であり、図２のＸ−Ｘ面からみた構成図である。図２は、図１の冷暖房システムの熱放出管の平面図である。
本発明の冷暖房システム１０は、建築物１２の床面１４の床下空間１６に蓄熱材１８（たとえば、安山岩の砕石等）を収納し、その蓄熱材１８の熱による輻射熱によって室内２０を冷房又は暖房するとともに、蓄熱材１８の熱を用いて室内２０の湿度を調整するものである。
【００１６】
建築物１２の床下空間１６には、冷温熱供給装置２２から送風（供給）される冷熱又は温熱を収容し吹出すための２つのプレナム部２４，２６が形成されている。第一プレナム部２４は、その部内に収容される冷熱又は温熱を連通する第二プレナム部２６に吹出す第一吹出し口２４ａを有する。第一プレナム部２４は、第一吹出し口２４ａを介して第二プレナム部２６に連通している。
第二プレナム部２６は、蓄熱材１８を収容する空間である。また、蓄熱材１８の熱を床下空間１６に吹出す第二吹出し口２６ａを有する。
【００１７】
図１および図２では、第一吹出し口２４ａおよび第二吹出し口２６ａとして、空気調和又は換気用の吹出し口に用いられるグリル（格子状の金属板）を使用しているが、これに限定するものではない。
床下空間１６は、第一吹出し口２４ａのグリルと第二吹出し口２６ａのグリルによって、３つの空間に仕切られている。第一プレナム部２４は、第一吹出し口２４ａであるグリルによって仕切られた空間であり、建築物１２の内壁面１２ａとの間に形成される空間である。第二プレナム部２６は、第一吹出し口２４ａのグリルと第二吹出し口２６ａのグリルで仕切られ形成される空間である。
図１および図２では、平板状のグリル２枚２４ａ，２６ａで床下空間１６を三分し、第一プレナム部２４と第二プレナム部２６を形成している。但し、プレナム部２４，２６は、上記仕切り以外の仕切りによって形成してもよい。
なお、建築物の壁面には、断熱材が設けられている。
【００１８】
建築物１２の室外４０には、冷熱又は温熱を送風する冷温熱供給装置２２（空調機）が設けられている。冷温熱供給装置２２から送風される冷熱又は温熱は、温度・湿度・清浄度が調整された調整空気２８である。なお、冷温熱供給装置２２の室外機２２ａは屋外に備えられている。また、冷温熱供給装置２２は、室内２０に設けられるリモコン２２ｂによって操作できるようになっている。
冷温熱供給装置２２から送風される冷熱又は温熱（調整空気２８）は、熱放出管３０を通じて第一プレナム部２４内に一度収容される。図１では、熱放出管３０は、第二プレナム部２６を貫通し、第一プレナム部２４内に調整空気２８（冷熱又は温熱）を送風できるように敷設されている。なお、熱放出管３０は、第二プレナム部２６の空間を通るように設けても良い。
【００１９】
冷温熱供給装置２２から供給される調整空気２８（冷熱又は温熱）は、熱放出管２２を介して第一プレナム部２４内に一度収容されると、第一吹出し口２４ａから第二プレナム部２６内へ送風され、その調整空気２８の熱は、蓄熱材１８に蓄熱される。その蓄熱を夜間に行い、蓄熱材１８に蓄熱された熱によって日中（昼間）の室内の冷房又は暖房を行うことができる。
【００２０】
図１において、第二プレナム部２６内を貫通する熱放出管３０は、径大の管３０ａと径小の管３０ｂから構成されるものを使用している（図２）。また、熱放出管３０の側面に熱放出孔３０ｃを設けても良い。これにより、調整空気２８（冷熱又は温熱）の送風時に熱放出管３０にかかる負荷を緩和することができ、また蓄熱材１８にムラ無く蓄熱することができる。
【００２１】
第二プレナム部２６内の熱は、第二吹出し口２６ａから床下空間１６ａ（第一プレナム部２４および第二プレナム部２６が形成されていない空間）に放出される。これにより、第一プレナム部２４および第二プレナム部２６が形成されているところの床下空間１６のみならず、室内２０全体の床下空間１６が調整空気２８（冷熱又は温熱）の熱によって冷やされ又温められることから、床面１４全体で室内２０を冷房し又は暖房することができる。
【００２２】
床下空間１６ａには、珪藻岩３２（珪質頁岩又は稚内層珪質頁岩）が収容されている。珪藻岩３２は、水分吸収保持能力に優れたものであり、珪藻土の数倍の調湿性を有している。すなわち、床下空間１６ａの湿度が６０％以上になるとその湿気を吸収し、乾燥すると放湿して、所定の湿度（たとえば、４０％〜６０％の湿度）に保つように自律的に調湿する。
日中（昼間）に湿気を吸収し水分を含んだ珪藻岩３２は、夜間に第二吹出し口２６ａから床下空間１６に放出される第二プレナム部２６内の熱（温度調節及び湿度調整された調整空気２８（冷熱又は温熱））によって、乾燥される。
珪藻岩３２は、有害物質を吸収するため、有害物質が室内に侵入することを防止する働きも有する。また、洗浄し天日乾燥することにより、再生利用できる。
【００２３】
床下空間１６を形成する床面１４に当該室内２０の湿気を吸収する透湿防水シート３４を備えた換気ユニット３６（がらり板）を設ける。透湿防水シート３４は、水は通さないが湿気は通す性質を有するシートであり、日本工業規格ＪＩＳＡ６１１１で規定されているものである。床面１４に透湿防水シート３４を備えることにより、室内２０の湿気３８を床下空間１６ａに排出でき、室内２０の結露を防止することができる。床下空間１６ａに排出された湿気３８は珪藻岩３２によって吸収される。なお、珪藻岩３２は上述したように温度調節及び湿度調整された調整空気２８によって乾燥される。
上記珪藻岩３２と透湿防水シート３４を備えた換気ユニット３６（がらり板）は、本発明において調湿手段として働く。この調湿手段により、室内２０の湿度調整が可能となり、また結露を防止することができる。
【００２４】
本発明が密閉空間である床下空間１６で実施される場合、冷暖房時室内２０においてほこりが立たないという効果を有する。
【００２５】
なお、床下空間１６を形成する基礎部４２には、建築基準法（令条２２条）に基づく換気孔４２ａが形成されている。また、換気孔４２ａから排出される床下空間１６内の調整空気２８は、室外４０の冷温熱供給装置２２（空調機）によって第一プレナム部２４および床下空間１６全域に送風され、循環される。
【符号の説明】
【００２６】
１０  冷暖房システム
１２  建築物
１４  床面
１６  床下空間
１８  蓄熱材
２０  室内
２２  冷温熱供給装置
２４  第一プレナム部
２４ａ  第一吹出し口
２６  第二プレナム部
２６ａ  第二吹出し口
２８  冷熱又は温熱
３０  熱放出管
３０ｃ  熱放出孔
３２  珪藻岩
３４  透湿防水シート
３６  換気ユニット
４０  室外
【図１】
2013019550.tif 000003
【図２】
2013019550.tif 000004